(57)【要約】【課題】ソフトスタートが働く電源立ち上げ時から、帰還回路により負荷側出力を出力設定電圧に維持する通常動作時への移行する際に発生するオーバシュート電圧を抑制するスイッチングレギュレータの提供。【解決手段】ソフトスタート回路（１３）と誤差増幅器（１１）との間にクランプ回路（９）を設け、ソフトスタート回路（１３）の出力（ＳＳ）から誤差増幅器（１１）の出力（ＦＢ）までの上限値を設定し、電源立ち上げ時に誤差増幅器（１１）の出力（ＦＢ）の電圧が上昇するのを抑え、誤差増幅器（１１）の出力（ＦＢ）が安定するまでの時間を短くすることによって、負荷側出力（ＶＯＵＴ）に発生するオーバシュート電圧を抑制する。【選択図】  図１
2004364393.tif 000002
【特許請求の範囲】
【請求項１】
開閉することにより、電源側から負荷側に電力を供給し、負荷側を出力設定電圧に保持するスイッチング素子と、
前記負荷側の電圧を分圧する分圧器と、
該分圧器からの電圧を受ける誤差増幅器と、
三角波電圧を発生する三角波発生器と、
前記電源側の電圧の立ち上がり時に緩やかに立ち上がる電圧を発生するソフトスタート回路と、
該ソフトスタート回路の出力電圧から前記誤差増幅器の出力電圧までの上限値を設定するクランプ回路と、
前記ソフトスタート回路の出力電圧と前記誤差増幅器の出力電圧との低い方の電圧と前記三角波電圧とを比較するコンパレータと、を備え、
該コンパレータの出力に応じて前記スイッチング素子が開閉されるスイッチングレギュレータ。
【請求項２】
前記クランプ回路は、前記誤差増幅器の出力が接続される第１のトランジスタと、
前記ソフトスタート回路の出力が接続され、エミッタ・ベース間電圧が第１のトランジスタよりも小さい第２のトランジスタと、を備え、
該エミッタ・ベース間電圧の差により、前記ソフトスタート回路の出力電圧から前記誤差増幅器の出力電圧までの前記上限値を設定する請求項１に記載のスイッチングレギュレータ。
【請求項３】
前記クランプ回路は、前記誤差増幅器の出力がエミッタに接続される第１のトランジスタと、
該第１のトランジスタのベースにエミッタが接続される第２のトランジスタと、
該第２のトランジスタのベースにエミッタが接続される第３のトランジスタと、
該第３のトランジスタのベースと定電流源が接続される抵抗と、
該抵抗の他端にエミッタが接続され、前記ソフトスタート回路の出力がベースに接続される第４のトランジスタと、を備え、
前記第１と第２のトランジスタのエミッタ・ベース間電圧の差と、前記定電流源の電流が前記抵抗に流れることにより発生する電圧とにより、前記ソフトスタート回路の出力電圧から前記誤差増幅器の出力電圧までの前記上限値を設定する請求項１に記載のスイッチングレギュレータ。
【発明の詳細な説明】
【０００１】
【発明の属する技術分野】本発明は、スイッチング素子を通して電源側から負荷側に電力を供給するものであって、このスイッチング素子を所定の制御のもとに断続させて所定の負荷側の電圧（出力設定電圧）を得ることができるスイッチングレギュレータ、特に、ソフトスタート機能を有するスイッチングレギュレータに関する。
【０００２】
【従来の技術】従来より、出力設定電圧を得る方式の１つとして、スイッチング素子を所定の制御のもとに断続させるスイッチングレギュレータ方式があり、小型で高効率を達成できることから広く使用されてきた。そして、電源立ち上げ時にこのスイッチング素子に流れる突入電流を抑制するために、ソフトスタート動作が行われている（例えば、特許文献１）。
【０００３】
図６は従来のスイッチングレギュレータの回路図である。スイッチングレギュレータ１０１において、ＰＭＯＳトランジスタであるスイッチング素子１１４は、電源側（ＶＣＣ）から負荷側に電力を供給し、所定の制御のもと、すなわち、後述するコンパレータ１１０の出力に応じて開閉することにより、負荷側出力（ＶＯＵＴ）を出力設定電圧に保持する。スイッチング素子１１４の負荷側には、コイル、コンデンサなどからなる平滑回路１１５が接続され、スイッチング素子１１４からの電圧を平滑化している。負荷側出力（ＶＯＵＴ）は、直列抵抗からなる分圧器１１６により分圧され、誤差増幅器１１１の反転入力側に入力される。誤差増幅器１１１の出力（ＦＢ）と反転入力側の間には、抵抗とコンデンサからなる発振止め回路１１７が接続されている。誤差増幅器１１１は、誤差比較基準電圧１１８と反転入力側に入力された電圧との誤差を増幅して出力する。誤差増幅器１１１の出力（ＦＢ）と後述するソフトスタート回路１１３の出力（ＳＳ）は、コンパレータ１１０に入力され、その内の低い方の電圧と三角波発生器（ＴＲＩ）１１２からの三角波電圧とが比較される。コンパレータ１１０の出力は、反転バッファ１１９により反転され、前述したスイッチング素子１１４のゲートに入力される。このように、スイッチング素子１１４は、負荷側出力（ＶＯＵＴ）からの帰還回路により制御される。
【０００４】
前述したソフトスタート回路１１３は、電源立ち上がり時に緩やかに上昇する電圧を発生させるための定電流源１２２とコンデンサ１２３を有しており、さらに、低電源電圧誤動作防止回路（ＵＶＬＯ）１２０やサーマルシャットダウン回路（ＴＳＤ）１２１などを有して構成される。
【０００５】
また、基準電圧発生器（ＶＲＥＦ）１２４が設けられ、その出力（Ｖｒｅｆ）は誤差増幅器１１１、三角波発生器１１２、ソフトスタート回路１１３などの電源となっている。
【０００６】
図７は電源立ち上げ時から通常動作時へ移行するまでの電圧値を示す特性図である。まず、電源立ち上げ時には、ソフトスタート回路１１３の出力（ＳＳ）の方が誤差増幅器１１１の出力（ＦＢ）よりも電圧が低い。よって、コンパレータ１１０ではソフトスタート回路１１３の出力（ＳＳ）と三角波が比較される。ここで、ソフトスタート回路１１３の出力（ＳＳ）が三角波よりも高いとコンパレータ１１０からはＨｉｇｈレベルが出力され、反転バッファ１１９により反転されてスイッチング素子１１４のゲートにＬｏｗレベルが入力される。その結果、スイッチング素子１１４は閉じる（ＯＮする）。また、ソフトスタート回路１１３の出力（ＳＳ）が三角波よりも低いと、コンパレータ１１０からはＬｏｗレベルが出力され、反転バッファ１１９により反転されてスイッチング素子１１４のゲートにＨｉｇｈレベルが入力される。その結果、スイッチング素子１１４は開く（ＯＦＦする）。
【０００７】
そして、電源立ち上げ初期には、スイッチング素子１１４のゲートに入力されるＬｏｗレベルの期間は短く、Ｈｉｇｈレベルの期間が長い。徐々にＬｏｗレベルの期間を長く、Ｈｉｇｈレベルの期間を短くすることにより、スイッチング素子１１４に流れる突入電流を抑制している。
【０００８】
次いで、通常動作に移行すると、誤差増幅器１１１の出力（ＦＢ）の方がソフトスタート回路１１３の出力（ＳＳ）よりも電圧が低くなる。よって、コンパレータ１１０では誤差増幅器１１１の出力（ＦＢ）と三角波が比較される。
【０００９】
ここで、誤差増幅器１１１の出力（ＦＢ）が三角波よりも高いと、コンパレータ１１０からはＨｉｇｈレベルが出力され、反転バッファ１１９により反転されてスイッチング素子１１４のゲートにＬｏｗレベルが入力される。また、誤差増幅器１１１の出力（ＦＢ）が三角波よりも低いと、コンパレータ１１０からはＬｏｗレベルが出力され、反転バッファ１１９により反転されてスイッチング素子１１４のゲートにＨｉｇｈレベルが入力される。
【００１０】
【特許文献１】特開平７−３３６９９９号公報
【００１１】
【発明が解決しようとする課題】
このように、コンパレータ１１０では、電源立ち上げ時にはソフトスタート回路１１３の出力（ＳＳ）と三角波が比較され、通常動作に移行すると、誤差増幅器１１１の出力（ＦＢ）と三角波が比較される。このソフトスタート回路１１３の出力（ＳＳ）は、電源立ち上げから緩やかに上昇し、基準電圧（Ｖｒｅｆ）に漸近するものである。一方、誤差増幅器１１１の出力（ＦＢ）は、電源立ち上げからすぐに基準電圧（Ｖｒｅｆ）近くまで上昇し、負荷側出力（ＶＯＵＴ）が出力設定電圧を超えると帰還回路の作用により下降を始める。この下降により、ソフトスタート回路１１３の出力（ＳＳ）よりも電圧が低くなり、そして通常動作時の安定した電圧となる。
【００１２】
それに伴い、負荷側出力（ＶＯＵＴ）は出力設定電圧で安定するが、この間に高いオーバシュート電圧が発生する。負荷側出力（ＶＯＵＴ）を早期に安定させ、負荷側出力（ＶＯＵＴ）につながるデバイスの早期動作を可能にするためには、このオーバシュートの期間を減ずる必要があった。また、このオーバシュート電圧が高いために、負荷側出力（ＶＯＵＴ）につながるデバイスが破壊される危険性もあった。
【００１３】
本発明は、係る事由に鑑みてなしたもので、オーバシュート電圧を抑制することができるスイッチングレギュレータを提供することにある。
【００１４】
【課題を解決するための手段】
上記の課題を解決するために、請求項１に係わるスイッチングレギュレータは、開閉することにより、電源側から負荷側に電力を供給し、負荷側を出力設定電圧に保持するスイッチング素子と、前記負荷側の電圧を分圧する分圧器と、該分圧器からの電圧を受ける誤差増幅器と、三角波電圧を発生する三角波発生器と、前記電源側の電圧の立ち上がり時に緩やかに立ち上がる電圧を発生するソフトスタート回路と、該ソフトスタート回路の出力電圧から前記誤差増幅器の出力電圧までの上限値を設定するクランプ回路と、前記ソフトスタート回路の出力電圧と前記誤差増幅器の出力電圧との低い方の電圧と前記三角波電圧とを比較するコンパレータと、を備え、該コンパレータの出力に応じて前記スイッチング素子が開閉されることを特徴とする。
【００１５】
請求項１記載のクランプ回路により、ソフトスタート回路の出力から誤差増幅器の出力までの上限値が設定されているので、電源立ち上げ時に誤差増幅器の出力の電圧が上昇するのを抑え、誤差増幅器の出力が安定するまでの時間を短くすることができ、よって、負荷側出力に発生するオーバシュート電圧を抑制する。
【００１６】
請求項２に係わるスイッチングレギュレータは、前記クランプ回路は、前記誤差増幅器の出力が接続される第１のトランジスタと、前記ソフトスタート回路の出力が接続され、エミッタ・ベース間電圧が第１のトランジスタよりも小さい第２のトランジスタと、を備え、該エミッタ・ベース間電圧の差により、前記ソフトスタート回路の出力電圧から前記誤差増幅器の出力電圧までの前記上限値を設定することを特徴とする。
【００１７】
請求項２記載のクランプ回路は構成素子の数が少なく、半導体集積回路でのクランプ回路の占有面積を小さくできる。また、構成素子の数が少いために、エミッタ・ベース間接合面積の差から発生する電位差も比較的簡単に調整できる。
【００１８】
請求項３に係わるスイッチングレギュレータは、前記クランプ回路は、前記誤差増幅器の出力がエミッタに接続される第１のトランジスタと、該第１のトランジスタのベースにエミッタが接続される第２のトランジスタと、該第２のトランジスタのベースにエミッタが接続される第３のトランジスタと、該第３のトランジスタのベースと定電流源が接続される抵抗と、該抵抗の他端にエミッタが接続され、前記ソフトスタート回路の出力がベースに接続される第４のトランジスタと、を備え、前記第１と第２のトランジスタのエミッタ・ベース間電圧の差と、前記定電流源の電流が前記抵抗に流れることにより発生する電圧とにより、前記ソフトスタート回路の出力電圧から前記誤差増幅器の出力電圧までの前記上限値を設定することを特徴とする。
【００１９】
請求項３記載のクランプ回路では、抵抗に流れることにより発生する電位差もクランプ電圧を設定する要因になっているので、クランプ回路の誤差増幅器の出力につながる第１のトランジスタのエミッタ・ベース間接合面積を大きくすることが可能であり、駆動能力が大きい誤差増幅器の場合であっても、十分に電圧をクランプすることができる。
【００２０】
【発明の実施の形態】
以下、本発明の実施形態を図面を参照しながら詳細に説明する。図１は本発明の実施形態であるスイッチングレギュレータの構成を示す回路図である。このスイッチングレギュレータ１は、従来の技術で説明したものと実質的に同様の構成要素を備え、後に詳述するクランプ回路を付設したものである。
【００２１】
スイッチングレギュレータ１において、スイッチング素子１４は電源側（ＶＣＣ）から負荷側に電力を供給し、所定の制御のもと、すなわち、後述するコンパレータ１０の出力に応じて開閉することにより、負荷側出力（ＶＯＵＴ）を出力設定電圧に保持する。スイッチング素子１４の負荷側には、コイル、コンデンサなどからなる平滑回路１５が接続され、スイッチング素子１４からの電圧を平滑化している。負荷側出力（ＶＯＵＴ）は直列抵抗からなる分圧器１６により分圧され、誤差増幅器１１の反転入力側に入力される。誤差増幅器１１の出力（ＦＢ）と反転入力側の間には、抵抗とコンデンサからなる発振止め回路１７が接続されている。誤差増幅器１１は、誤差比較基準電圧１８と反転入力側に入力された電圧との誤差を増幅して出力する。誤差増幅器１１の出力（ＦＢ）とソフトスタート回路１３の出力（ＳＳ）はコンパレータ１０に入力され、その内の低い方の電圧と三角波発生器（ＴＲＩ）１２からの三角波電圧とが比較される。コンパレータ１０の出力は、反転バッファ１９により反転され、前述したスイッチング素子１４のゲートに入力される。このように、スイッチング素子１４は、負荷側出力（ＶＯＵＴ）からの帰還回路により制御される。
【００２２】
前述したソフトスタート回路１３は、電源立ち上がり時に緩やかに上昇する電圧を発生させるための定電流源２２とコンデンサ２３を有しており、さらに、低電源電圧誤動作防止回路（ＵＶＬＯ）２０やサーマルシャットダウン回路（ＴＳＤ）２１などを有して構成される。低電源電圧誤動作防止回路（ＵＶＬＯ）２０は、電源側（ＶＣＣ）が一定の電圧よりも低い場合にはＨｉｇｈレベルを出力し、ソフトスタート回路１３の出力（ＳＳ）を強制的に接地電位に固定し、スイッチングレギュレータ１の誤動作を防止している。同様に、サーマルシャットダウン回路（ＴＳＤ）２１は異常高温によるスイッチングレギュレータ１の誤動作を防止している。
【００２３】
そして、電源立ち上げ時から通常動作時に移行する際の負荷側出力（ＶＯＵＴ）のオーバシュート電圧を抑制するために、ソフトスタート回路１３の出力（ＳＳ）と誤差増幅器１１の出力（ＦＢ）との間にクランプ回路（Ｃｌａｍｐｅｒ）９を設けるのである。
【００２４】
基準電圧発生器（ＶＲＥＦ）２４は、その出力（Ｖｒｅｆ）を誤差増幅器１１、三角波発生器１２、ソフトスタート回路１３、クランプ回路９などの電源としている。
【００２５】
本実施形態では、スイッチング素子１４、平滑回路１５、分圧器１６、発振止め回路１７、コンデンサ２３を外付けとし、その他の部材を半導体集積回路２に内蔵している。
【００２６】
次に、クランプ回路９を図２に基づいて詳述する。クランプ回路９は、エミッタ・ベース接合面積が基本トランジスタのＭ倍のＰＮＰトランジスタ３１と、同じくＮ倍のＮＰＮトランジスタと、定電流源３３と、を有している。そして、ＰＮＰトランジスタ３１のエミッタに誤差増幅器１１の出力（ＦＢ）を接続し、コレクタを接地し、ベースをＮＰＮトランジスタ３２のエミッタおよび他端が接地されている定電流源３３に接続している。ＮＰＮトランジスタ３２のコレクタを基準電位Ｖｒｅｆに接続し、ベースをソフトスタート回路１３の出力（ＳＳ）に接続しているのである。
【００２７】
また、ＰＮＰトランジスタとＮＰＮトランジスタの各基本トランジスタのマスクパターンは当然に異なるものであるが、エミッタ・ベース間の特性がほぼ等しいものとしている。さらに、この実施形態では、ＰＮＰトランジスタ３１のＭの値は１に、ＮＰＮトランジスタ３２のＮの値は８に、定電流源３３は１０〜１００μＡ程度に、それぞれ設定している。
【００２８】
ソフトスタート回路１３の出力（ＳＳ）がベースに接続されるＮＰＮトランジスタ３２においては、エミッタ電圧はベースよりもエミッタ・ベース間電圧分だけ低い。誤差増幅器１１の出力（ＦＢ）がエミッタに接続されるＰＮＰトランジスタ３１においては、ベース電圧はエミッタよりもエミッタ・ベース間電圧分だけ低い。ここで、ＰＮＰトランジスタ３１のエミッタ・ベース接合面積は１倍に設定してあり、ＮＰＮトランジスタ３２のエミッタ・ベース接合面積は８倍であるため、ＰＮＰトランジスタ３１のエミッタ・ベース間電圧はＮＰＮトランジスタ３２のエミッタ・ベース間電圧よりも０．１Ｖ程度高い電圧に制限される。
【００２９】
よって、誤差増幅器１１の出力（ＦＢ）は、ソフトスタート回路１３の出力（ＳＳ）よりも０．１Ｖ程度高い電圧に制限される。なお、誤差増幅器１１の出力（ＦＢ）がそれ以下の場合は、ＰＮＰトランジスタ３１には電流は流れないので、誤差増幅器１１の出力（ＦＢ）はこのクランプ回路によって影響を受けない。
【００３０】
クランプ回路の本第１実施例では、誤差増幅器１１の出力（ＦＢ）につながるＰＮＰトランジスタ３１は１倍であるため電流駆動能力がそれほど高くはないので、駆動能力が比較的小さな誤差増幅器１１向きであるが、構成素子の数を少なくすることができ、半導体集積回路２のコストを削減することができる。
【００３１】
次に、本発明の別の実施形態であるスイッチングレギュレータを説明する。このものは、先の実施形態とはクランプ回路のみが異なるものであり、図３はその回路図である。クランプ回路９は、Ｍ’倍のＰＮＰトランジスタ５１と、Ｎ’倍のＮＰＮトランジスタ５２と、１倍のＮＰＮトランジスタ５４と、１倍のＰＮＰトランジスタ５８と、複数の定電流源５３、５５、５６と、抵抗５７と、を有している。
【００３２】
そして、ＰＮＰトランジスタ５１のエミッタを誤差増幅器１１の出力（ＦＢ）に接続し、コレクタを接地し、ベースをＮＰＮトランジスタ５２のエミッタおよび他端が接地されている定電流源５３に接続している。また、ＮＰＮトランジスタ５２のコレクタを基準電位Ｖｒｅｆに接続し、ベースを１倍のＮＰＮトランジスタ５４のエミッタおよび他端が接地されている定電流源５５に接続している。また、ＮＰＮトランジスタ５４のコレクタを基準電位Ｖｒｅｆに接続し、ベースを抵抗５７の一端に接続し、かつ他端が基準電位Ｖｒｅｆに接続されている定電流源５６に接続している。さらに、ＰＮＰトランジスタ５８のエミッタを抵抗５７の他端に接続し、コレクタを接地し、ベースをソフトスタート回路１３の出力（ＳＳ）に接続している。
【００３３】
本クランプ回路では、ＰＮＰトランジスタ５１のＭ’の値は１２に、ＮＰＮトランジスタ５２のＮ’の値は８に、定電流源５３、５５、５６は１０〜１００μＡ程度に、抵抗５７は１Ｋ〜５０ＫΩ程度に、それぞれ設定している。誤差増幅器１１の出力（ＦＢ）のソフトスタート回路１３の出力（ＳＳ）に対するクランプ電圧は、トランジスタのエミッタ・ベース接合面積の比にも影響されるが、特に抵抗５７の抵抗値に強く影響される。例えば、定電流源５６が１０μＡで、抵抗５７が１０ＫΩならば、抵抗５７には０．１Ｖ程度の電位差が発生する。
【００３４】
ソフトスタート回路１３の出力（ＳＳ）がベースに接続されるＰＮＰトランジスタ５８においては、エミッタ電圧はベースよりもエミッタ・ベース間電圧分だけ高い。ＮＰＮトランジスタ５４のベース電圧はＰＮＰトランジスタ５８のエミッタよりも抵抗５７による０．１Ｖだけ高い。ＮＰＮトランジスタ５４のエミッタ電圧はベースよりもエミッタ・ベース間電圧分だけ低い。ＰＮＰトランジスタ５８とＮＰＮトランジスタ５４のエミッタ・ベース間電圧がほぼ等しいとすると、ＮＰＮトランジスタ５４のエミッタ電圧はソフトスタート回路１３の出力（ＳＳ）よりも０．１Ｖ高い。
【００３５】
ＮＰＮトランジスタ５２においては、エミッタ電圧はベースよりもエミッタ・ベース間電圧分だけ低く、ＰＮＰトランジスタ５１のエミッタはベースよりもエミッタ・ベース間電圧分だけ高い。ここで、ＮＰＮトランジスタ５２とＰＮＰトランジスタ５１のエミッタ・ベース間電圧の差はＮ’、Ｍ’の値によって変わり、０．１Ｖよりも非常に小さいとすることができる。このようにして、ＰＮＰトランジスタ５１のエミッタにつながる誤差増幅器１１の出力（ＦＢ）はソフトスタート回路１３の出力（ＳＳ）よりもほぼ０．１Ｖ高くすることができる。
【００３６】
本実施形態では、誤差増幅器１１の出力（ＦＢ）につながるＰＮＰトランジスタ５１は１２倍であり電流駆動能力が高いので、駆動能力が大きい誤差増幅器１１の場合であっても、十分に電圧をクランプすることができる。
【００３７】
なお、上述の２つの実施形態のクランプ回路において、エミッタ・ベース間接合面積、抵抗値、定電流源の電流値は一例であって、所望の特性に合わせて任意に増減できることは当然のことである。
【００３８】
図４は各節点における電源立ち上げ時から通常動作時への移行を示す図である。また、図５は電源立ち上げ時から通常動作時への移行の瞬間を詳細に示す図である。まず、電源立ち上げ時には、ソフトスタート回路１３の出力（ＳＳ）の方が誤差増幅器１１の出力（ＦＢ）よりも電圧が低い。よって、コンパレータ１０では、ソフトスタート回路１３の出力（ＳＳ）と三角波が比較される。ソフトスタート回路１３の出力（ＳＳ）電圧が三角波電圧よりも高いと、コンパレータ１０からはＨｉｇｈレベルが出力され、反転バッファ１９により反転され、反転バッファ１９の出力（ＯＵＴＨ）からスイッチング素子１４のゲートにＬｏｗレベルが出力される。一方、ソフトスタート回路１３の出力（ＳＳ）電圧が三角波電圧よりも低いと、コンパレータ１０からはＬｏｗレベルが出力され、反転バッファ１９により反転され、反転バッファ１９の出力（ＯＵＴＨ）からスイッチング素子１４のゲートにＨｉｇｈレベルが出力される。
【００３９】
次に、通常動作に移行すると、誤差増幅器１１の出力（ＦＢ）の方がソフトスタート回路１３の出力（ＳＳ）よりも電圧が低い。よって、コンパレータ１０では誤差増幅器１１の出力（ＦＢ）と三角波が比較される。誤差増幅器１１の出力（ＦＢ）電圧が三角波電圧よりも高いと、コンパレータ１０からはＨｉｇｈレベルが出力され、反転バッファ１９により反転され、反転バッファ１９の出力（ＯＵＴＨ）からスイッチング素子１４のゲートにＬｏｗレベルが出力される。誤差増幅器１１の出力（ＦＢ）電圧が三角波電圧よりも低いと、コンパレータ１０からはＬｏｗレベルが出力され、反転バッファ１９により反転され、反転バッファ１９の出力（ＯＵＴＨ）からスイッチング素子１４のゲートにＨｉｇｈレベルが出力される。
【００４０】
ソフトスタート回路１３の出力（ＳＳ）は電源立ち上げから緩やかに上昇し、基準電圧（Ｖｒｅｆ）に漸近する。誤差増幅器１１の出力（ＦＢ）は電源立ち上げからクランプ回路９が正常動作する電圧まで上昇し、その後はソフトスタート回路１３の出力（ＳＳ）よりも０．１Ｖ（クランプ電圧）だけ高い電圧にクランプされる。負荷側出力（ＶＯＵＴ）が出力設定電圧を超えると、帰還回路の作用により下降を始める。下降し始めると、ソフトスタート回路１３の出力（ＳＳ）よりも電圧が低くなり、そして通常動作時の安定した電圧となる。誤差増幅器１１の出力（ＦＢ）は、クランプ回路９によりクランプされていたため安定した電圧に下降するまでの電位差が小さい。
【００４１】
それに伴い、負荷側出力（ＶＯＵＴ）も出力設定電圧で安定する。この間のオーバシュート電圧が発生する期間は、誤差増幅器１１の出力（ＦＢ）がクランプ回路９によりクランプされていたために、短くなる。また、オーバシュート電圧の値も抑制される。
【００４２】
以上の実施形態は、本発明を説明する一例であり、降圧型のスイッチングレギュレータについて説明しているが、スイッチング素子１４や平滑回路などの構成や結線を変えることによって、昇圧型のスイッチングレギュレータに適用することも当業者ならば容易にすることができる。
【００４３】
【発明の効果】
上記の通り、本発明のスイッチングレギュレータによれば、ソフトスタート機能を有するものにおいて、電源立ち上げ時に誤差増幅器の出力の電圧が上昇するのを抑え、負荷側出力に発生するオーバシュート電圧を抑制することができる。
【図面の簡単な説明】
【図１】本発明の実施形態であるスイッチングレギュレータの構成を示す回路図。
【図２】同上のクランプ回路の構成を示す回路図。
【図３】本発明の別の実施形態であるスイッチングレギュレータのクランプ回路の構成を示す回路図。
【図４】実施形態における電源立ち上げ時から通常動作時への移行を示す波形図。
【図５】実施形態における電源立ち上げ時から通常動作時への移行の瞬間を詳細に示す波形図。
【図６】従来におけるスイッチングレギュレータの構成を示す回路図。
【図７】従来における電源立ち上げ時から通常動作時への移行を示す波形図。
【符号の説明】
１                      レギュレータ
２                      半導体集積回路
９                      クランプ回路
１０                    コンパレータ
１１                    誤差増幅器
１２                    三角波発生器
１３                    ソフトスタート回路
１４                    スイッチング素子
１５                    平滑回路
１６                    分圧器
１７                    発振止め回路
１８                    誤差比較基準電圧
１９                    反転バッファ
２０                    低電源電圧誤動作防止回路
２１                    サーマルシャットダウン回路
２２                    定電流源
２３                    コンデンサ
２４                    基準電圧発生器
３１、５１，５８        ＰＮＰトランジスタ
３２、５２、５４        ＮＰＮトランジスタ
３３、５３、５５、５６  定電流源
５７                    抵抗
【図１】
2004364393.tif 000003
【図２】
2004364393.tif 000004
【図３】
2004364393.tif 000005
【図４】
2004364393.tif 000006
【図５】
2004364393.tif 000007
【図６】
2004364393.tif 000008
【図７】
2004364393.tif 000009